(57)【特許請求の範囲】
【請求項１】
ユニットを搭載して出し入れ方向に進退自在なユニットベースに設けられることにより前記ユニットベースの入れ方向の動作に連動して駆動動作を行うことができる駆動部と、
装置本体の底面のフレームに固定された固定部材と、
前記固定部材に螺着され、設置面側の端部にはベースを有し、前記ベースと反対側の端部には第１連結部を有している主軸部と、
周囲に複数の歯を有し、軸部には前記主軸部の軸方向に摺動可能に前記第１連結部と連結する第２連結部を有しているギヤ部と、
前記ギヤ部の前記歯と係合する１対の突起部を内側に対向して有し、前記駆動部が当接して前記ユニットベースの入れ方向に駆動することにより回転されて前記突起部の一方が前記歯と係合し、前記駆動部がさらに駆動して前記突起部の一方が前記歯を押すことにより前記ギヤ部を回転させるカム部と、
前記ギヤ部を回動自在に支持し、前記カム部を前記ユニットベースの入れ方向に摺動自在に保持するとともに前記カム部を前記突起部の一方が前記ギヤ部に向けて移動するように回転可能に軸支している支持金具と、
前記駆動部が前記カム部から離れているとき前記駆動部による駆動時に回転された前記カム部を元の位置まで戻すとともに前記カム部を前記ユニットベースの出し方向の摺動端部まで移動させる付勢部と、
を備え、
前記駆動部は、前記ユニットベースの前記ギヤ部の中心および前記カム部の軸支中心を通る中心線から離れた位置に配置可能にされていることを特徴とするレベル調整装置。
【請求項２】
前記駆動部は、前記中心線に対して対称となる前記ユニットベースの位置に穿設された１対の孔部の一方に選択的に嵌合されるシャフトであり、前記シャフトが前記カム部の前記突起部を有する側とは反対側の端部を前記カム部の方向に駆動することを特徴とする請求項１記載のレベル調整装置。
【請求項３】
前記支持金具は、前記中心線に沿って形成された長孔部を有し、前記カム部を軸支するカム軸部が前記長孔部を貫通して設置されていることを特徴とする請求項１記載のレベル調整装置。
【請求項４】
前記付勢部は、第１および第２のばねを有し、前記第１のばねは前記カム部の両側部に位置するように前記フレームに固定されて前記駆動部により回転された前記カム部を前記中心線の方向に戻すように付勢し、前記第２のばねは一端が前記カム部を軸支する前記カム軸部に係止され、他端が前記支持金具の前記ギヤ部を回動自在に支持している部分とは反対側の端部に係止されて前記カム部を前記ユニットベースの出し方向に付勢していることを特徴とする請求項３記載のレベル調整装置。
【請求項５】
前記主軸部の前記第１連結部は、前記主軸部の端部にスリット状に形成されたすりわりであり、前記ギヤ部の前記第２連結部は、前記軸部から軸線方向に延びて前記すりわりに遊嵌される板状部材であることを特徴とする請求項１記載のレベル調整装置。
【請求項６】
前記固定部材が固定される前記フレームは、自動取引装置の底部のフレームであることを特徴とする請求項１記載のレベル調整装置。
【請求項７】
自動取引装置の底部後方に設置された状態にあることを特徴とする請求項６記載のレベル調整装置。
【発明の詳細な説明】
【技術分野】
【０００１】
本発明はレベル調整装置に関し、特に現金自動預け払い機、自動販売機、券売機などの自動取引装置を設置するときに自動取引装置の装置本体の底部に設けられて装置本体を水平の状態になるように調節することができるレベル調整装置に関する。
【背景技術】
【０００２】
たとえば、現金自動預け払い機においては、内部の精密なユニットを正常に稼働させるために装置本体を水平に保った状態で設置されることが要求されている。この目的のために、レベルフットまたはアジャスタと呼ばれるレベル調整装置が装置本体の底部に設けられたものが知られている（たとえば、特許文献１参照）。このレベル調整装置は、装置本体の底部の四隅にそれぞれ垂直方向に昇降自在に設けられていて、床面に対する高さおよび傾きに応じてそれぞれ独立してレベルを調整できるようにしている。装置本体を水平に保った状態で設置されることにより、現金自動預け払い機は、装置本体がねじれたり歪んだりすることがなくなり、たとえば紙幣の搬送に問題が生じたりすることがなくなる。
【０００３】
ところで、現金自動預け払い機は、金融機関の店舗への設置では、部屋の構造を装置本体の設置やメンテナンスに都合の良い形に構成した上で所定の位置に設置されている。このため、装置本体の底部前方に設けられたレベル調整装置は、装置本体の正面側から容易にアクセス可能であり、装置本体の底部後方に設けられたレベル調整装置は、装置本体のバックヤード側から容易にアクセス可能となっている。この場合、それぞれのレベル調整装置は、作業員がたとえばレンチやスパナのような工具で直接操作をすることによりレベルを調整することができる。
【０００４】
一方、現金自動預け払い機は、金融機関の店舗内だけではなく、コンビニエンスストア、スーパーマーケット、駅前出張所などのような場所に設置されることも多い。このような設置場所では、現金自動預け払い機を設置するための専用のスペースが最初から用意されることは少なく、空きスペースに設置されることが多い。以下に、以上のような場所に現金自動預け払い機が設置される場合について説明する。
【０００５】
図１０は現金自動預け払い機の設置例を示す平面図であり、図１１は現金自動預け払い機の設置例を示す正面図である。
コンビニエンスストアなどでは、図１０および図１１に示したように、壁１００が窪んでいることによって形成されるスペース１０１に現金自動預け払い機１０２が設置されることがある。
【０００６】
現金自動預け払い機１０２は、装置本体の底部前方にレベル調整装置１０３ｆが設けられ、装置本体の底部後方にレベル調整装置１０３ｒが設けられている。現金自動預け払い機１０２は、また、その内部に、複数のユニット１０４が引き出し可能に収納されている。このユニット１０４としては、紙幣処理ユニット、硬貨処理ユニット、カード処理ユニット、印刷処理ユニットなどがあり、それぞれメンテナンス性を考慮して全体を前方へ引き出すことができるようにしている。
【０００７】
このような設置例の場合、装置本体の底部前方に設けられたレベル調整装置１０３ｆについては、図１０および図１１から分かるように、装置本体の正面側から容易にアクセス可能な位置にある。しかし、装置本体の底部後方に設けられたレベル調整装置１０３ｒは、スペース１０１の奥側に位置しており、しかも、装置本体と壁１００との隙間も狭いために、その隙間から手を入れてレベルを調整することが極めて困難である。
【０００８】
なお、図１０および図１１の例では、窪んだスペースに現金自動預け払い機１０２を設置した場合について説明した。しかし、背面の壁１００がフラットな場所であっても、現金自動預け払い機１０２をたとえば２台近接して併置するような場合、上記と同様に、装置本体の底部後方のうち互いに隣り合う側のレベル調整装置１０３ｒがアクセスできないレベル調整装置となる。
【０００９】
これに対し、正面からアクセスすることが困難なレベル調整装置１０３ｒを遠隔調整することができるものが考えられている。遠隔調整可能なレベル調整装置としては、電動式のもの（たとえば、特許文献２参照）またはリンク式のものがある。
【先行技術文献】
【特許文献】
【００１０】
【特許文献１】特開２００６−２６９９０４号公報
【特許文献２】特開２００５−２０３７６７号公報
【発明の概要】
【発明が解決しようとする課題】
【００１１】
しかしながら、電動式のレベル調整装置は、部品コストが高く、レベルを調整する機構部が大きいために大きな設置スペースが必要になるという問題点があった。また、リンク式のレベル調整装置は、装置正面側からリンク機構を介して手動でレベル調整することになるが、大型の現金自動預け払い機の場合、装置本体の重量が数百キログラム（ｋｇ）にもなることから、手動によるレベル調整が難しいという問題点があった。
【００１２】
本発明はこのような点に鑑みてなされたものであり、大型化することなく、また、レベル調整に大きな人力を必要としないレベル調整装置を提供することを目的とする。
【課題を解決するための手段】
【００１３】
本発明では上記の課題を解決するために、以下の構成のレベル調整装置が提供される。このレベル調整装置は、ユニットを搭載して出し入れ方向に進退自在なユニットベースに設けられることにより前記ユニットベースの入れ方向の動作に連動して駆動動作を行うことができる駆動部と、装置本体の底面のフレームに固定された固定部材と、前記固定部材に螺着され、設置面側の端部にはベースを有し、前記ベースと反対側の端部には第１連結部を有している主軸部と、周囲に複数の歯を有し、軸部には前記主軸部の軸方向に摺動可能に前記第１連結部と連結する第２連結部を有しているギヤ部と、前記ギヤ部の前記歯と係合する１対の突起部を内側に対向して有し、前記駆動部が当接して前記ユニットベースの入れ方向に駆動することにより回転されて前記突起部の一方が前記歯と係合し、前記駆動部がさらに駆動して前記突起部の一方が前記歯を押すことにより前記ギヤ部を回転させるカム部と、前記ギヤ部を回動自在に支持し、前記カム部を前記ユニットベースの入れ方向に摺動自在に保持するとともに前記カム部を前記突起部の一方が前記ギヤ部に向けて移動するように回転可能に軸支している支持金具と、前記駆動部が前記カム部から離れているとき前記駆動部による駆動時に回転された前記カム部を元の位置まで戻すとともに前記カム部を前記ユニットベースの出し方向の摺動端部に移動させる付勢部と、を備え、前記駆動部は、前記ユニットベースの前記ギヤ部の中心および前記カム部の軸支中心を通る中心線から離れた位置に配置可能にされていることを特徴とする。
【００１４】
このようなレベル調整装置によれば、ギヤ部とカム部とによりユニットベースの出し入れ操作による直線運動を回転運動に変換して主軸部を昇降動作させている。
【発明の効果】
【００１５】
上記構成のレベル調整装置は、ユニットベースの直線運動を回転運動に変換する構成のため、複雑かつ大型化することなく主軸部の昇降動作を可能にし、ギヤ部の駆動にユニットの慣性重量を利用しているので、調整作業に大きな力が必要ないという利点がある。
【００１６】
カム部を介してギヤ部を駆動する駆動部がユニットベースに設けられていないときには、付勢部によってカム部がギヤ部から離れた位置に保持されているため、主軸部を外部から直接操作してレベル調整を行うことができる。
【図面の簡単な説明】
【００１７】
【図１】本発明の実施の形態に係るレベル調整装置の取り付け状態を示す斜視図である。
【図２】レベル調整装置の取り付け状態を別の角度から示す拡大斜視図である。
【図３】レベル調整装置の分解斜視図である。
【図４】レベル調整装置の取り付け状態を示す側面図である。
【図５】レベル調整装置の動作前の状態を示す平面図である。
【図６】レベル調整装置の動作開始時の状態を示す平面図である。
【図７】ギヤ部の回転駆動直前の状態を示すレベル調整装置の平面図である。
【図８】ギヤ部の回転駆動中の状態を示すレベル調整装置の平面図である。
【図９】ギヤ部の回転駆動終了時の状態を示すレベル調整装置の平面図である。
【図１０】現金自動預け払い機の設置例を示す平面図である。
【図１１】現金自動預け払い機の設置例を示す正面図である。
【発明を実施するための形態】
【００１８】
以下、本発明の実施の形態について、自動取引装置に適用した場合を例に図面を参照して詳細に説明する。
図１は本発明の実施の形態に係るレベル調整装置の取り付け状態を示す斜視図、図２はレベル調整装置の取り付け状態を別の角度から示す拡大斜視図、図３はレベル調整装置の分解斜視図、図４はレベル調整装置の取り付け状態を示す側面図である。
【００１９】
本発明によるレベル調整装置は、自動取引装置の装置本体の底部に設けられる４箇所のうち、底部後方に設けられる２箇所に適用される。本実施の形態では、装置本体の底部後方のうち、左側に設置されるレベル調整装置について図示している。
【００２０】
このレベル調整装置は、図１および図２に示したように、装置本体の底部を構成するフレーム１０に主要部が取り付けられ、そのフレーム１０の上方位置にて図示しないユニットの出し入れを行うユニットベース１１に主要部を駆動する駆動部が取り付けられている。ユニットベース１１は、ユニットを搭載しておくもので、ユニットのメンテナンスのときには装置本体から容易に引き出すことができるように構成されている。このユニットベース１１に搭載されるユニットは、たとえば、１００ｋｇ〜２００ｋｇといった重量のあるものであり、このため、このレベル調整装置では、主要部の駆動にユニットの慣性重量を利用することが可能である。
【００２１】
レベル調整装置の主要部は、図３に示したように、ナット（固定部材）２１と、主軸部２２と、ギヤ部２３と、カム部２４と、カム軸部２５と、支持金具２６と、コイルばね（付勢部の第２のばね）２７と、板ばね（付勢部の第１のばね）２７ａとを備えている。
【００２２】
ナット２１は、フレーム１０の下面に、たとえば、溶接によって固定される。このとき、このナット２１は、フレーム１０に穿設された貫通孔１３と同軸位置に配置されている。なお、ここでは、固定部材の一例として、ナット２１としているが、これに限定されるものではなく、主軸部２２を固定できる部材であればよい。
【００２３】
主軸部２２は、ナット２１に螺着されるように外周にねじ山が形成されており、回動させることによってナット２１に対し昇降させることができる。すなわち、主軸部２２は、フレーム１０の設置面（床）からのレベル（高さ）を調節するレベルアジャスト機能を有している。主軸部２２は、設置面側の端部にベース２８を有し、このベース２８と反対側の端部には、スリット状のすりわり（第１連結部）２９が形成されている。主軸部２２は、また、ベース２８側の端部に六角形状の角柱部３０を有し、作業員による手動のレベル調整を行うときにスパナを掛けて回動できるようにしている。主軸部２２のベース２８には、設置面を保護するために台座３１が被せられる。
【００２４】
ギヤ部２３は、軸部３２と、この軸部３２の上部に嵌合されて外周に複数の歯が周設された平歯車３３と、軸部３２の軸方向下方に延設されたプレート（第２連結部）３４とを有している。このプレート３４は、軸部３２の中心を通るように直径方向に形成されており、ナット２１を介してフレーム１０の上面まで上昇された主軸部２２のすりわり２９に遊嵌される。プレート３４は、フレーム１０の上面側で上下方向に移動することはなく、一方、主軸部２２は、レベル調整範囲の分だけ昇降する。このため、プレート３４は、主軸部２２がレベル調整範囲を昇降しても、すりわり２９との遊嵌を維持するだけの軸方向の長さを有している。
【００２５】
支持金具２６は、フレーム１０の上面に固定される固定部３５と、ギヤ部２３の軸部３２を回動自在に支持する軸支持部３６と、カム部２４を摺動自在に支持する支持部３７と、コイルばね２７の一端が係止される係止部３８とを有している。支持金具２６の固定部３５は、フレーム１０の面と平行に形成された面を有し、支持金具２６の長手方向をユニットベース１１の出し入れの方向３９に合わせて、たとえば溶接によってフレーム１０に固定される。軸支持部３６は、貫通孔４０を有し、この貫通孔４０には、上部からギヤ部２３の軸部３２が嵌められる。支持部３７には、支持金具２６の短手方向中央位置にて長手方向に沿って形成された長孔部４１を有している。この支持部３７は、図４に示したように、支持部３７の上面に載置されるカム部２４が軸支持部３６に支持されたギヤ部２３の平歯車３３の高さ方向中央位置に来るように軸支持部３６よりも高く、かつ、軸支持部３６と平行になるように形成されている。
【００２６】
カム部２４は、ギヤ部２３の側の端部中央にギヤ部２３の外径よりも大きな略半円形の切欠き部を有し、その切欠き部の両側先端部にギヤ部２３の平歯車３３の歯と係合する１対の突起部４２が内側に対向して有している。この突起部４２の対向する先端は、ギヤ部２３の外径よりも多少外側に位置するような間隔に形成されている。カム部２４は、また、その短手方向中央位置に孔部４３が穿設されており、その孔部４３には、カム軸部２５が挿通されている。このカム部２４は、支持金具２６の支持部３７に載置するときに、長孔部４１にカム軸部２５を挿通した状態で行われる。カム軸部２５は、その先端近傍に溝が周設されていて、その溝にコイルばね２７の他端が係止される。これにより、カム部２４は、コイルばね２７の付勢力によってユニットベース１１の出し方向（装置本体の正面側）に常時付勢されている。このとき、カム軸部２５が長孔部４１の端部４１ａ（摺動端部）に当接するまで付勢されているので、カム部２４は、ユニットベース１１の出し方向の摺動端部まで移動されていることになる。また、カム部２４は、板ばね２７ａによってカム軸部２５を中心とした回動が規制されている。すなわち、板ばね２７ａは、貫通孔１３よりも自動取引装置の正面側に隣接してフレーム１０に固定される固定部と、この固定部の両端よりそれぞれ立設された立設部とを有し、その立設部がカム部２４の両側部に位置している。これにより、カム部２４は、コイルばね２７によってユニットベース１１の出し方向に引っ張られながら、板ばね２７ａによって出し入れの方向３９に向けられることになる。このとき、カム部２４は、その突起部４２がギヤ部２３からユニットベース１１の出し方向に退避した位置（ホームポジション）に保持されている。また、カム部２４は、長孔部４１の長軸に沿ってユニットベース１１の出し入れの方向３９に進退自在であるとともにカム軸部２５を中心に揺動（回動）自在となっている。なお、カム軸部２５は、必要に応じて孔部４３から抜けないようにカム部２４に固定されているとよい。たとえば、カム軸部２５は、孔部４３にねじ止めしたり、カム部２４に溶接により固定したり、コイルばね２７が係止されている側に止め輪を嵌めたりすることで抜け防止を実現できる。
【００２７】
次に、レベル調整装置の主要部を回転駆動する駆動部について説明する。この駆動部は、ギヤ部２３の中心およびカム部２４の軸支中心を通る中心線に対して対称となるユニットベース１１上の位置に穿設された１対の孔部４４ｕ，４４ｄの一方に選択的に嵌合されるシャフト４５によって構成される。シャフト４５を孔部４４ｕに挿入した場合、シャフト４５がカム部２４を介してギヤ部２３の平歯車３３を回転駆動すると、主軸部２２は、上昇する方向に移動される。一方、シャフト４５を孔部４４ｄに挿入した場合、シャフト４５がカム部２４を介してギヤ部２３の平歯車３３を回転駆動すると、主軸部２２は、下降する方向に移動される。なお、シャフト４５が孔部４４ｕ，４４ｄのいずれにも嵌合されていないときには、ユニットベース１１の動きに関係なく、レベル調整装置の主要部では、カム部２４がユニットベース１１の出し方向の摺動端部に位置しているホームポジションにあって主軸部２２が拘束されない状態で保持されている。このことは、作業員が外部から手動によるレベル調整を行うことに何ら影響を及ぼさないことを意味する。すなわち、自動取引装置が上記のような構成のレベル調整装置を備えていたとしても、今まで行っていた通常のレベル調整作業をする場合に、このレベル調整装置が調整作業を阻害する要因とはならない。
【００２８】
次に、このレベル調整装置の動作シーケンスについて説明する。なお、以下では、レベル調整装置の主要部を上昇させるように調整する場合について説明するが、主要部を下降させるように調整する場合についても、同様に考えることができる。
【００２９】
図５はレベル調整装置の動作前の状態を示す平面図、図６はレベル調整装置の動作開始時の状態を示す平面図、図７はギヤ部の回転駆動直前の状態を示すレベル調整装置の平面図、図８はギヤ部の回転駆動中の状態を示すレベル調整装置の平面図、図９はギヤ部の回転駆動終了時の状態を示すレベル調整装置の平面図である。
【００３０】
レベル調整装置によってレベルを調整しようとするときには、まず、その主要部を上昇させるように調整するのか下降させるように調整するのかによってシャフト４５がユニットベース１１の孔部４４ｕ，４４ｄの一方に嵌合される。ここでは、レベル調整装置の主要部を上昇させるように調整するので、ユニットベース１１を十分に前方へ引き出してその後端部に容易にアクセスできる状態にした上で、シャフト４５が孔部４４ｕに嵌合される。
【００３１】
ユニットベース１１が前方へ引き出されているとき、レベル調整装置の主要部は、シャフト４５がカム部２４から離れることによってホームポジションの位置にある。すなわち、カム部２４は、図５に示したように、コイルばね２７がカム軸部２５を自動取引装置の正面方向（図の下方向）に引っ張り、板ばね２７ａがカム部２４の両側部を押さえているので、カム部２４の長手方向の中心線がギヤ部２３の中心およびカム軸部２５の中心を通る中心線に一致した状態にある。なお、ギヤ部２３が回転していく状態を分かりやすくするために、ギヤ部２３のプレート３４の長手方向の向きは、このとき、カム部２４の長手方向の中心線と一致した方向に向いているものとする。
【００３２】
次に、ユニットベース１１を自動取引装置の中に押し込んでいくと、図６に示したように、まず、シャフト４５がカム部２４の突起部４２を有する側とは反対側の端部２４ａに当接する。このとき、シャフト４５は、ギヤ部２３の中心およびカム軸部２５の中心を通る中心線から図の右方向にずれた位置に設けられているので、カム部２４の端部２４ａであってカム部２４の中心線から図の右方向にずれた当接位置２４ｂに当接する。
【００３３】
この状態で、さらに、ユニットベース１１を自動取引装置の中に押し込んでいくと、図７に示したように、カム部２４は、板ばね２７ａによる付勢力に抗しカム軸部２５を中心として図の反時計回りの方向に回転され、カム部２４の突起部４２がギヤ部２３の平歯車３３の歯と係合する。
【００３４】
さらに、ユニットベース１１を自動取引装置の中に押し込んでいくと、図８に示したように、カム部２４は、突起部４２がギヤ部２３の平歯車３３の歯と係合した状態で、カム軸部２５が支持金具２６の長孔部４１に沿ってギヤ部２３の方向に進んでいく。これにより、ギヤ部２３の平歯車３３は、その歯がカム部２４の突起部４２に押されて図の反時計回りの方向に回転される。
【００３５】
ユニットベース１１がその収容位置まで自動取引装置の中に押し込まれると、図９に示したように、ギヤ部２３は、１歯分だけ図の反時計回りの方向に回転され、その回転角度に対応する分だけ、主軸部２２が上昇されることになる。
【００３６】
その後、ユニットベース１１を自動取引装置から引き出すと、カム部２４は、図６から図９まで説明した動作を逆にたどって動作する。すなわち、ユニットベース１１が引き出されると、それに追従してカム部２４がコイルばね２７および板ばね２７ａの付勢力によってユニットベース１１の出し入れの方向３９に戻されながら引き出し方向に移動される。このとき、カム部２４の突起部４２は、係合して進めた歯より１つ前の歯に係合するが、ここでは、その１つ前の歯を乗り越えていく。
【００３７】
ユニットベース１１の引き出しが進んでカム部２４のカム軸部２５が長孔部４１の端部４１ａに当接する（図７の状態）と、カム部２４は、板ばね２７ａの付勢力によりカム軸部２５を中心として図の時計回りの方向に回転されるようになる。
【００３８】
ユニットベース１１の引き出しがさらに進んでシャフト４５がカム部２４の端部２４ａから離れる（図６の状態）と、カム部２４は、ギヤ部２３の中心およびカム軸部２５の中心を通る中心線の方向に向き、レベル調整装置の主要部は、ホームポジションに戻る。
【００３９】
このユニットベース１１の押し込みおよび引き出し操作により、ギヤ部２３は、１歯分だけ回転されて主軸部２２が上昇されるが、さらに主軸部２２を上昇させる場合には、以上のユニットベース１１の押し込みおよび引き出し操作を繰り返す。
【００４０】
主要部を下降させるように調整する場合には、シャフト４５をユニットベース１１の孔部４４ｄに嵌合し、上記のユニットベース１１の押し込みおよび引き出し操作を繰り返すことで同じように実施することができる。
【００４１】
なお、本実施の形態では、駆動部をシャフト４５によって構成しているが、駆動部としては、このシャフト４５に限定されるものではない。すなわち、駆動部は、ギヤ部２３の中心およびカム部２４の軸支中心を通る中心線から離れたユニットベース１１の位置に取り付けてユニットベース１１の入れ方向の動作に連動してカム部２４を駆動できる着脱可能なものであれば、他の構造を有するものでもよい。
【００４２】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００４３】
１０  フレーム
１１  ユニットベース
１３  貫通孔
２１  ナット
２２  主軸部
２３  ギヤ部
２４  カム部
２４ａ  端部
２４ｂ  当接位置
２５  カム軸部
２６  支持金具
２７  コイルばね
２７ａ  板ばね
２８  ベース
２９  すりわり
３０  角柱部
３１  台座
３２  軸部
３３  平歯車
３４  プレート
３５  固定部
３６  軸支持部
３７  支持部
３８  係止部
３９  出し入れの方向
４０  貫通孔
４１  長孔部
４１ａ  端部
４２  突起部
４３，４４ｕ，４４ｄ  孔部
４５  シャフト
【図１】
0006357432.tif 000002
【図２】
0006357432.tif 000003
【図３】
0006357432.tif 000004
【図４】
0006357432.tif 000005
【図５】
0006357432.tif 000006
【図６】
0006357432.tif 000007
【図７】
0006357432.tif 000008
【図８】
0006357432.tif 000009
【図９】
0006357432.tif 000010
【図１０】
0006357432.tif 000011
【図１１】
0006357432.tif 000012